(57)【要約】  【課題】  部品点数が少なく、コネクタハウジングをより小さくすることできて、小型化が可能になるシールドコネクタを提供する。  【解決手段】  コネクタハウジング１のシールド外筒挿着部１Ａをシールド部材２のシールド外筒部２１に装着して、係止突起部１０を係止孔２６に係止し、ガイド溝部１１をガイド２１Ａに挿入し、接触端子４１をコネクタハウジング１の端子装着部５に装着して、接触端子４１にランス８を係止することで、コネクタハウジング１の表出部１Ｂがシールド外筒部２１の先端より突出するようになり、この表出部１Ｂとシールド外筒部２１とでコネクタ嵌合部Ａ−１を構成した。【選択図】  図２
2006054057.tif 000002
【特許請求の範囲】
【請求項１】
相手コネクタにおける相手コネクタ側嵌合部にコネクタ嵌合部を係脱可能に嵌合した際に前記相手コネクタが有する相手側端子に接触する接触端子とシールド部材とを装着したコネクタハウジングと、前記接触端子を有するシールドコネクタであって、
前記シールド部材はシールド外筒部を有しており、前記コネクタハウジングは、シールド装着部とロック手段とを有しており、
前記シールド装着部を前記シールド外筒部に挿入することで前記コネクタハウジングを前記シールド部材に装着して前記コネクタ嵌合部を形成し、
前記相手コネクタとの結合時、当該相手コネクタが有するロック部に前記ロック手段を係脱可能に係合させるようにしたことを特徴とするシールドコネクタ。
【請求項２】
前記シールド部材は、前記シールド外筒部と、前記接触端子を接続するケーブルの端末部分を覆うケーブル側シールド部とを有しており、このケーブル側シールド部をケースとリテーナとで覆うようにしたことを特徴とする請求項１に記載のシールドコネクタ。
【請求項３】
前記ケースに、ロックレバー挿入用開口部と、このロックレバー挿入用開口部の入口側に位置する一対の突起部とを設け、前記ロック手段は片持ち形状のロックレバーを有していて、前記コネクタハウジングの前記シールド部材への装着時に、前記ロックレバー挿入用開口部に前記ロックレバーを挿入して、前記突起部を前記ロックレバーの両側方に位置させて、前記相手コネクタとの結合時に、前記突起部を前記相手コネクタ側嵌合部に挿入して、当該相手コネクタ側嵌合部の内面に当接させるようにしたことを特徴とする請求項２に記載のシールドコネクタ。
【請求項４】
前記シールド装着部を前記シールド外筒部に装着すると共に、前記接触端子を前記コネクタハウジングの端子装着部に装着して前記シールド部材に前記コネクタハウジングを装着し、
前記シールド部材は、前記シールド部と、カバー部と、前記シールド部と前記カバー部との中間部の折曲部と、前記カバー部に連なる圧着部とから構成してあり、
前記ケースは、ケース側シールド嵌合凹部とリテーナ嵌合部とを有すると共に、前記リテーナは、テーナ側シールド嵌合凹部を有しており、
前記シールドケーブルを前記カバー部の内部に収容した状態で、前記圧着部の圧着により前記シールドケーブルを前記シールド部材に取付け、前記屈曲部を前記シールドケーブルと共に、前記シールド外筒部に対して略直角に折曲げて前記カバー部を前記シールド外筒部に係止して、前記ケース側シールド嵌合凹部に前記ケーブル側シールド部を嵌合させて前記ケースを前記シールド部材に取付け、
前記リテーナ側シールド嵌合凹部に前記ケーブル側シール部を嵌合して、前記リテーナを前記ケースに係止して前記リテーナで前記ケーブル側シール部を押さえるようにしたことを特徴とする請求項２又は請求項３に記載のシールドコネクタ。
【請求項５】
前記相手コネクタは、絶縁ハウジングと、この絶縁ハウジングを覆うシールドケースとを有しており、
前記絶縁ハウジングは、その内部が前記相手コネクタ側嵌合部にしてあって、前記絶縁ハウジングの互いに対向する対向面部にシールド片挿入用開口部がそれぞれ形成してあり、
前記シールドケースはボックス形状であって、その互いに対向する対向面部に、前記シールドケースの内方に突入するシールド接触部が形成してあり、
前記絶縁ハウジングに前記シールドケースを被せて、前記シールド接触部を前記シールド片挿入用開口部に挿入して前記相手コネクタ側嵌合部内に突入させ、前記相手コネクタ側嵌合部に前記相手側端子を位置させるようにしたことを特徴とする請求項１乃至請求項４のいずれかの一に記載のシールドコネクタ。
【請求項６】
前記シールドケースのコネクタ幅方向の両側面部に、それぞれシールド端子を形成して、これらのシールド端子を用いて前記シールドケースを直接にプリント基板に実装するようにしたことを特徴とする請求項５に記載のシールドコネクタ。
【発明の詳細な説明】
【技術分野】
【０００１】
本発明は、自動車等に搭載される電子機器同士のシールドケーブル接続に用いられるシールドコネクタに関するものである。
【背景技術】
【０００２】
従来のこの種のシールドコネクタとしては特許文献１に述べられており、このシールドコネクタのケーブル側コネクタは、図２２に示すように、コネクタハウジング７０と、シールドケーブル７１に接続された端子ユニット７２と、リテーナ７３とから構成してある。
【０００３】
コネクタハウジング７０は、その前面部に端子装着部７４を、後部にケーブル挿入部７５をそれぞれ有しており、また、コネクタハウジング７０の外部にはロック部（図示せず）が設けてある。
【０００４】
また、端子ユニット７２は、複数のコンタクト装着孔部７８ａを有する絶縁ブロック７８と、シールド部材７９と、シールドカバー８０と、複数のコンタクト（図示せず）とから構成してあり、これらのコンタクトは、シールドケーブル７１の複数の芯線の端末に接続してある。そして、コンタクトは、絶縁ブロック７８のコンタクト装着孔部７８ａに装着してある。
【０００５】
そして、端子ユニット７２はコネクタハウジング７０のケーブル挿入部７５側から端子装着部７４に挿入して係止してあり、シールドケーブル７１はケーブル挿入部７５に沿わせてある。この状態で、リテーナ７３がケーブル挿入部７５に被せてあって、このリテーナ７３が端子ユニット７２を後方から押さえていて、コネクタハウジング７０内に、シールド部材７９で覆われた端子ユニット７２を挿入して相手コネクタ嵌合部（図示せず）を構成している。
【特許文献１】特開２０００−１３３３８６号公報
【発明の開示】
【発明が解決しようとする課題】
【０００６】
しかしながら、上記した従来のシールドコネクタのケーブル側コネクタにあっては、シールドケーブル７１に接続された端子ユニット７２と、この端子ユニット７２を覆うシールド部材７９及びシールドカバー８０と、端子ユニット７２が挿入して係止されるコネクタハウジング７０と、コネクタハウジング７０に固着されて端子ユニット７２を後方から押えるリテーナ７３とを備えていて、コネクタハウジング７０内に、シールド部材７９で覆われた端子ユニット７２を挿入して相手コネクタ嵌合部が構成してあり、コネクタハウジングの外部にロック部が設けてあるために、ケーブル側コネクタ全体が大型化するという問題が生じていた。
【０００７】
本発明はかかる従来の問題を改善するためになされたもので、その目的とするところは、部品点数が少なく、コネクタハウジングをより小さくすることできて、小型化が可能になるシールドコネクタを提供することにある。
【課題を解決するための手段】
【０００８】
上記の目的を達成するために、本発明に係るシールドコネクタは、相手コネクタにおける相手コネクタ側嵌合部にコネクタ嵌合部を係脱可能に嵌合した際に前記相手コネクタが有する相手側端子に接触する接触端子を装着したコネクタハウジングと、接触端子を有するシールドコネクタであって、シールド部材はシールド外筒部を有しており、コネクタハウジングは、シールド装着部とロック手段とを有しており、シールド装着部をシールド外筒部に挿入することでコネクタハウジングをシールド部材に装着してコネクタ嵌合部を形成し、相手コネクタとの結合時、当該相手コネクタが有するロック部にロック手段を係脱可能に係合させるようにしたことを特徴とするものである。
【０００９】
かかる構成により、シールド装着部をシールド外筒部に装着することでコネクタハウジングをシールド部材に装着してコネクタ嵌合部が形成してあり、しかも、コネクタハウジングにロック手段に設けたことで、従来のようにコネクタハウジング内に、シールドで覆われた端子ユニットを挿入して相手コネクタ嵌合部を構成したものに比べて、部品点数が少なく、コネクタハウジングをより小さくできて、シールドコネクタ全体を小型化することが可能になる。
【００１０】
また、本発明に係るシールドコネクタは、上記した本発明に係るシールドコネクタにおいて、シールド部材は、シールド外筒部と、接触端子を接続するケーブルの端末部分を覆うケーブル側シールド部とを有しており、このケーブル側シールド部をケースとリテーナとで覆うようにしたことを特徴とするものである。
【００１１】
かかる構成により、ケーブル側シールド部をケースとリテーナとで覆うことで、ケーブル側シールド部のケースへの完全固定及びケーブルの引っ張りに対する固定力の強化に寄与することができる。
【００１２】
また、本発明に係るシールドコネクタは、上記した本発明に係るシールドコネクタにおいて、ケースに、ロックレバー挿入用開口部と、このロックレバー挿入用開口部の入口側に位置する一対の突起部とを設け、ロック手段は片持ち形状のロックレバーを有していて、コネクタハウジングのシールド部材への装着時に、ロックレバー挿入用開口部にロックレバーを挿入して、突起部をロックレバーの両側方に位置させて、相手コネクタとの結合時に、突起部を相手コネクタ側嵌合部に挿入して、当該相手コネクタ側嵌合部の内面に当接させるようにしたことを特徴とするものである。
【００１３】
かかる構成により、コネクタハウジングのシールド部材への装着時に、ロックレバー挿入用開口部にロックレバーを挿入することでコネクタハウジングのシールド部材のシールド外筒部への挿入が可能になって、コネクタハウジングをより小さくできて、シールドコネクタ全体を小型化することが可能になるし、また、相手側コネクタとの結合時のこじり動作で、ロックレバーを撓ませることがあるが、突起部をロックレバーの両側方に位置させるようにしたことにより、突起部が相手コネクタ側嵌合部の内面に当接してロックレバーの撓みを防止することができる。
【００１４】
また、本発明に係るシールドコネクタは、上記した本発明に係るシールドコネクタにおいて、シールド装着部をシールド外筒部に装着すると共に、接触端子をコネクタハウジングの端子装着部に装着してシールド部材にコネクタハウジングを装着し、シールド部材は、シールド部と、カバー部と、シールド部とカバー部との中間部の折曲部と、カバー部に連なる圧着部とから構成してあり、ケースは、ケース側シールド嵌合凹部とリテーナ嵌合部とを有すると共に、リテーナは、テーナ側シールド嵌合凹部を有しており、シールドケーブルをカバー部の内部に収容した状態で、圧着部の圧着によりシールドケーブルをシールド部材に取付け、屈曲部をシールドケーブルと共に、シールド外筒部に対して略直角に折曲げてカバー部をシールド外筒部に係止して、ケース側シールド嵌合凹部にケーブル側シールド部を嵌合させてケースをシールド部材に取付け、リテーナ側シールド嵌合凹部にケーブル側シール部を嵌合して、リテーナをケースに係止してリテーナでケーブル側シール部を押さえるようにしたことを特徴とするものである。
【００１５】
かかる構成により、従来のようにコネクタハウジング内に、シールド部材で覆われた端子ユニットを挿入して相手コネクタ嵌合部を構成したものに比べて、部品点数が少なく、コネクタハウジングをより小さくできて、シールドコネクタ全体を小型化することが可能になる。
【００１６】
また、本発明に係るシールドコネクタは、上記した本発明に係るシールドコネクタにおいて、相手コネクタは、絶縁ハウジングと、この絶縁ハウジングを覆うシールドケースとを有しており、絶縁ハウジングは、その内部が相手コネクタ側嵌合部にしてあって、絶縁ハウジングの互いに対向する対向面部にシールド片挿入用開口部がそれぞれ形成してあり、シールドケースはボックス形状であって、その互いに対向する対向面部に、シールドケースの内方に突入するシールド接触部が形成してあり、絶縁ハウジングにシールドケースを被せて、シールド接触部をシールド片挿入用開口部に挿入して相手コネクタ側嵌合部内に突入させ、相手コネクタ側嵌合部に相手側端子を位置させるようにしたことを特徴とするものである。
【００１７】
かかる構成により、相手コネクタ側嵌合凹部にコネクタ嵌合部を嵌合して両コネクタを結合した際に、コネクタ嵌合部を構成するシールド部材のシールド外筒部にシールドケースのシールド接触部が接触するようになって、シールドコネクタ全体の小型化に寄与することができる。
【００１８】
また、本発明に係るシールドコネクタは、上記した本発明に係るシールドコネクタにおいて、シールドケースのコネクタ幅方向の両側面部に、それぞれシールド端子を形成して、これらのシールド端子を用いてシールドケースを直接にプリント基板に実装するようにしたことを特徴とするものである。
【００１９】
かかる構成により、シールドケースが、そのシールド端子を用いて直接にプリント基板に実装することができるようになって、シールドコネクタ全体の小型化に寄与することができる。
【発明の効果】
【００２０】
本発明に係るシールドコネクタによれば、シールド装着部をシールド外筒部に装着することでコネクタハウジングをシールド部材に装着してコネクタ嵌合部が形成してあり、しかも、コネクタハウジングにロック手段に設けたことで、従来のようにコネクタハウジング内に、シールドで覆われた端子ユニットを挿入して相手コネクタ嵌合部を構成したものに比べて、部品点数が少なく、コネクタハウジングをより小さくできて、シールドコネクタ全体を小型化することが可能になる。
【００２１】
また、本発明に係るシールドコネクタによれば、コネクタハウジングのシールド部材への装着時に、ロックレバー挿入用開口部にロックレバーを挿入することでコネクタハウジングのシールド部材のシールド外筒部への挿入が可能になって、コネクタハウジングをより小さくできて、シールドコネクタ全体を小型化することが可能になるし、また、相手側コネクタとの結合時のこじり動作で、ロックレバーを撓ませることがあるが、突起部をロックレバーの両側方に位置させるようにしたことにより、突起部が相手コネクタ側嵌合部の内面に当接してロックレバーの撓みを防止することができる。
【００２２】
また、本発明に係るシールドコネクタによれば、相手コネクタ側嵌合凹部にコネクタ嵌合部を嵌合して両コネクタを結合した際に、コネクタ嵌合部を構成するシールド部材のシールド外筒部にシールドケースのシールド接触部が接触するようになって、シールドコネクタ全体の小型化に寄与することができる。
【００２３】
また、本発明に係るシールドコネクタによれば、シールドケースが、そのシールド端子を用いて直接にプリント基板に実装することができるようになって、シールドコネクタ全体の小型化に寄与することができる。
【発明を実施するための最良の形態】
【００２４】
本発明の実施の形態を、図面を参照して詳述する。
【００２５】
本発明の実施例を図１乃至図２１に示し、図１は本発明に係るシールドコネクタにおいてケーブル側コネクタ（レセプタクルコネクタ）と基板側コネクタ（プラグコネクタ）との結合前の状態の斜視図、図２は同ケーブル側コネクタの分解状態の斜視図である。なお、図面において、コネクタ挿抜方向をＸで示し、コネクタ幅方向をＹで示し、コネクタ高さ方向をＺで示す。
【００２６】
本発明に係るシールドコネクタは、図１に示すようにとケーブル側コネクタ（レセプタクルコネクタ）Ａと基板側コネクタ（プラグコネクタ）Ｂとで構成してある。そして、ケーブル側コネクタＡは、図２に示すようにコネクタハウジング１と、シールド部材２と、ケース３と、リテーナ４と、複数の接触端子４１（図２１参照）とから構成してある。
【００２７】
コネクタハウジング１は、図２乃至図４に示すように、四角柱形状のシールド外筒挿着部１Ａと、このシールド外筒挿着部１Ａのコネクタ挿抜方向Ｘの先端部に形成された鍔状部からなる表出部１Ｂとを有しており、シールド外筒挿着部１Ａには、複数の端子装着部５とケーブル挿入部６とが形成してある。
【００２８】
そして、端子装着部５の端子挿入口５ａはコネクタハウジング１の前面部（コネクタ挿抜方向Ｘの一方の端面部）１ａに開口しており、端子装着部５の側面には、図４に示すようにランス８が形成してある。また、端子装着部５の後端部はケーブル挿入部６に開口している。
【００２９】
また、表出部１Ｂにはロック手段であるロック部７が設けてある。このロック部７は片持ち形状のロックレバー７Ａを有しており、このロックレバー７Ａは表出部１Ｂの片側からコネクタハウジング１のコネクタ幅方向Ｙの一方の側端面部１ｂの外方にかけて形成してあって、先方に行くに従って側端面部１ｂより離れるようにコネクタ挿抜方向Ｘに対して傾斜している。そして、このロックレバー７Ａの先部には押し部７Ｂが形成してあり、また、ロックレバー７Ａの両側部には係合部９が形成してある。
【００３０】
また、シールド外筒挿着部１Ａのコネクタ高さ方向Ｚの一方の側面部１ｃには係止突起部１０が設けてあり、シールド外筒挿着部１Ａのコネクタ幅方向Ｙの他方の側端面部１ｄにはコネクタ挿抜方向Ｘに沿うガイド溝部１１が形成してある。また、ロックレバー７Ａの基部には傾斜面よりなる誘い込みガイド部１２が形成してある。
【００３１】
シールド部材２は、図５乃至図７に示すように、金属板２０を折曲げ形成した折曲げ部２０ａを残してほぼ四角筒形状の成形されたシールド外筒部２１と、カバー部２２と、シールド外筒部２１とカバー部２２との中間部の折曲部２３と、このカバー部２２に連なる圧着部２４とから構成してあり、カバー部２２、折曲部２３及び圧着部２４はいずれも金属板２０を折曲げて形成してある。そして、図７に示すように、シールド外筒部２１の折曲げ部２０ａ間の隙間が形成してある。
【００３２】
そして、シールド外筒部２１の両側壁部２１ａ、２１ｂにはランス２５が形成してあり、また、側壁部２１ａには係止孔部２６が形成してあって、カバー装着部２７が設けてある。また、カバー部２２はほぼＵ字形状をなしていて、その両側面部には係止孔部２８Ａと、切り起しによる係止片部２８Ｂと、折曲げ部２９からなる隙間２９'とが形成してある。
【００３３】
そして、図２に示すように、シールド部材２にはシールドケーブルＳが取付けてある。すなわち、シールドケーブルＳの複数の芯線の端末には、それぞれに接触端子４１が接続してあり、このシールドケーブルＳはカバー部２２及び圧着部２４のそれぞれの内部にあって、この圧着部２４により圧着されてシールド部材２に取付けてある。この場合、複数の接触端子４１はシールド外筒部２１内に挿入されている。
【００３４】
そして、シールド外筒部２１に対してカバー部２２をシールドケーブルＳと共に、折曲部２３で略直角に折曲げてカバー部２２をカバー装着部２７に装着し、係止孔部２８Ａにランス２５に係止することで、図２に示すように、シールド外筒部２１に対してカバー部２２が略直角に保持されている。
【００３５】
この場合、シールド部材２において、カバー部２２及び圧着部２４の部分でケーブル側シールド部２１−１を構成している。
【００３６】
ケース３は、図２及び図８に示すように、ケース側シールド嵌合凹部３０を有していて、このケース側シールド嵌合凹部３０のコネクタ幅方向Ｙの一端側にはロックレバー挿入用開口部３２が、一端側にはリテーナ嵌合部３４がそれぞれ設けてある。そして、ケース側シールド嵌合凹部３０の両側面を形成する側壁部３０ｂ、３０ｃにはランス３１が形成してある。
【００３７】
また、ロックレバー挿入用開口部３２はケース３の端壁部３０ｄに形成してあり、この端壁部３０ｄの縁部にはロックレバー挿入用開口部３２を挟むようにして一対の突起部３３が突設してある。また、リテーナ嵌合部３４の両側面の外部には係止突起部３５が突設してある。
【００３８】
リテーナ４は、図２、図１０乃至図１２に示すように、リテーナ側シールド嵌合凹部４０を有しており、リテーナ側シールド嵌合凹部４０の端壁部４０ｂの端縁部には切欠きよりなる嵌合部４３が形成してあり、また、両側壁部４０ｃ、４０ｄには係合用孔部４２が形成してあり、また、端壁部４０ｂの裏面には突起部４４が形成してある。
【００３９】
次に、ケーブル側コネクタＡの組立を説明する。
【００４０】
まず、複数の接触端子４１を取付けたシールドケーブルＳをケーブル挿入部６に挿入すると共に、接触端子４１を端子装着部５１に装着して接触端子４１にランス８を係止する。コネクタハウジング１のシールド外筒挿着部１Ａをシールド部材２のシールド外筒部２１内に装着して、係止突起部１０を係止孔２６に係止する。この場合、コネクタハウジング１の表出部１Ｂがシールド外筒部２１の先端より突出するようになり、この表出部１Ｂとシールド外筒部２１とでコネクタ嵌合部Ａ−１が構成され、このコネクタ嵌合部Ａ−１の外方にロックレバー７Ａが位置する。このとき、シールド外筒部２１に対してカバー部２２が略直角に保持されていると共に、シールドケーブルＳは、圧着部２４により圧着されている。
【００４１】
次に、シールド部材２にケース３を装着する。すなわち、ケース３のケース側シールド嵌合凹部３０にシールド部材２のケーブル側シールド部２１−１を嵌合して、シールド部材２の圧着部２４をリテーナ嵌合部３４内に嵌合し、ランス３１を係止部２８Ｂに係止する。
【００４２】
また、ケース３のロックレバー挿入用開口部３２にロック部７のロックレバー７Ａが挿入される。そして、ロックレバー挿入用開口部３２の両側面部に突設されている突起部３３がロックレバー７Ａの両側方に位置する。
【００４３】
次に、リテーナ４を、そのリテーナ側シールド嵌合凹部４０にシールド部材２のケーブル側シールド部２１−１を嵌合してケース３のリテーナ嵌合部３４に被せて、リテーナ４の係合用孔部４２にリテーナ嵌合部３４の係止突起部３５を係止する。この場合、リテーナ４の突起部４４が、シールド外筒部２１の折曲げ部２９からなる隙間２９'に挿入する。また、リテーナ４の嵌合部４３がシールド外筒部２１に嵌合して、シールド外筒部２１とケース３との隙間に嵌合突起部４３'が位置することにより、シールド外筒部２１とケース３との強度が向上すると共に、ケーブル側シールド部２１−１のケース３への完全固定及びシールドケーブルＳの引っ張りに対する固定力の強化に寄与する。
【００４４】
相手コネクタである基板側コネクタＢは、絶縁ハウジング（プラグハウジング）５０と、シールドケース６０と、複数本の相手側端子５８（図２１参照）とを備えている。絶縁ハウジング５０は、図１３に示すようにボックス形状をしており、そのコネクタ挿抜方向Ｘの一端面の開口部５１から内部が相手コネクタ側嵌合部５２にしてある。そして、開口部５１のコネクタ幅方向Ｙの一方の側縁部にはロック係合部５３が、他方の側縁部にはガイド突起部５４がそれぞれ設けてある。ロック係合部５３は、誘い込み溝部５３ａと、この誘い込み溝部５３ａの両側の係合部５３ｂとで構成してある。
【００４５】
また、図１４及び図１５に示すように、絶縁ハウジング５０のコネクタ高さ方向Ｚの一方の端面部５０ａには、コネクタ挿抜方向Ｘに沿うシールド片挿入用開口部５５が、他方の端面部５０ｂには、コネクタ挿抜方向Ｘに沿うシールド片挿入用開口部５６がそれぞれ一対形成してある。また、絶縁ハウジング５０の閉塞端面部５０ｃには、複数の端子圧入部５７がコネクタ幅方向Ｙに所定の間隔をおいて形成してある。
【００４６】
そして、絶縁ハウジング５０には、図２１−１に示すように、その端子圧入部５７に圧入して相手側端子５８が取付けてあり、これらの相手側端子５８のコンタクト５８Ａは相手コネクタ側嵌合部５２内に位置しており、リード部５８Ｂは閉塞端面部５０Ｃの外方に突出している。
【００４７】
シールドケース６０は、図１７及び図１８に示すように金属板材をボックス形状に折曲げて構成してあって、そのコネクタ挿抜方向Ｘの両端面が解放されている。そして、コネクタ幅方向Ｙの両側面部６０ａ、６０ｂにはそれぞれ一対のシールド端子６１が形成してある。これらのシールド端子６１は、その先部に括れ部６１ａを有していて矢先形状にしてある。
【００４８】
また、シールドケース６０のコネクタ高さ方向Ｚの一方の端面部６０ｃには、コネクタ挿抜方向Ｘに沿うようにして片持ち形状のシールド接触部６２が形成してあり、これらのシールド接触部６２はシールドケース６０の内方に挿入してある。また、シールドケース６０のコネクタ高さ方向Ｚの他方の端面部６０ｄには、シールド接触部６２とは逆方向を向けて片持ち形状のシールド接触部６３が形成してあり、これらのシールド接触部６３はシールドケース６０の内方に挿入してある。
【００４９】
そして、絶縁ハウジング５０にシールドケース６０を被せて、シールド接触部６２をシールド片挿入用開口部５５に挿入し、シールド接触部６３をシールド片挿入用開口部５６に挿入して、シールド接触部６２、６３を相手コネクタ側嵌合部５２内に突入させて基板側コネクタＢが構成してある。
【００５０】
上記のように構成された基板側コネクタＢは、図１９に示すように、その実装面側に突出している相手側端子５８のリード部５８ａをプリント基板６５の回路パターン（図示せず）に半田付けし、また、シールド端子６１をプリント基板６５のスルーホール６６に挿入し半田付けすることで、このプリント基板６５に実装されている。シールド端子６１は、その先端の括れ部６１ａに半田が流れ込み、より強固に固定されている。
【００５１】
次に上記のように構成されたケーブル側コネクタＡと基板側コネクタＢとの結合及びこの結合の解除を説明する。
【００５２】
図２１−１、図２１−２に示すように、基板側コネクタＢの相手コネクタ側嵌合部５２にケーブル側コネクタＡのコネクタ嵌合部Ａ−１を係合し、ケーブル側コネクタＡのロック部７を基板側コネクタＢのロック係合部５３に挿入係合させることで、基板側コネクタＢにケーブル側コネクタＡが結合される。ロック部７のロック係合部５３への係合は、ロックレバー７Ａがロック係合部５３の誘い込み溝部５３ａに挿入された後に、ロックレバー７Ａの両側部の係合部９がロック係合部５３ｂに係合することにより行われる。
【００５３】
この場合、図２１−２に示すように、ケーブル側コネクタＡの複数の接触端子４８に基板側コネクタＢの相手側端子５８のコンタクト５８Ａが接触し、また、ケーブル側コネクタＡのシールド外筒部２１に基板側コネクタＢのシールド接触部６２、６３が接触する。
【００５４】
また、基板側コネクタＢからケーブル側コネクタＡを外す場合には、ロックレバー７Ａの押し部７Ｂを指で押して、このロックレバー７Ａを撓ませて、係合部９をロック係合部５３ｂから外し、基板側コネクタＢの相手コネクタ側嵌合部５２からケーブル側コネクタＡのコネクタ嵌合部Ａ−１を抜き出すことで行われる。
【００５５】
また、ケーブル側コネクタＡと基板側コネクタＢとの結合時、ケーブル側コネクタＡのこじり動作で、ロックレバー７Ａを撓ませることがあるが、図２０に示すように、ロックレバー７Ａの両側方に位置する突起部３３が相手コネクタ側嵌合部５２の内面に当接することで、ロックレバー７Ａの撓みが防止される。
【００５６】
上記したように、本発明の実施例によれば、コネクタハウジング１のシールド外筒挿着部１Ａをシールド部材２のシールド外筒部２１に挿入して、係止突起部１０を係止孔２６に係止し、ガイド溝部１１をガイド２１Ａに挿入し、接触端子４１をコネクタハウジング１の端子装着部５に装着して、接触端子４１にランス８を係止することで、コネクタハウジング１の表出部１Ｂがシールド外筒部２１の先端より突出するようになり、この表出部１Ｂとシールド外筒部２１とでコネクタ嵌合部Ａ−１が構成されるために、従来のようにコネクタハウジング内に、シールドで覆われた端子ユニットを挿入して相手コネクタ嵌合部を構成したものに比べて、部品点数が少なく、コネクタハウジングをより小さくできて、シールドコネクタ全体を小型化することが可能になる。
【００５７】
また、本発明の実施例によれば、ケーブル側コネクタＡと基板側コネクタＢとの結合時、ケーブル側コネクタＡのこじり動作で、ロックレバー７Ａを撓ませることがあるが、ロックレバー７Ａの両側方に位置する突起部３３が相手コネクタ側嵌合部５２の内面に当接することで、ロックレバー７Ａの撓みが防止される。
【００５８】
また、基板側コネクタＢは、その実装面側に突出している相手側端子５８のリード部５８ａをプリント基板６５の回路パターン（図示せず）に半田付けし、また、シールド端子６１をプリント基板６５のスルーホール６６に挿入し半田付けすることで、このプリント基板６５に実装するようにしたことにより、シールドコネクタ全体の小型化に寄与することができる。
【産業上の利用可能性】
【００５９】
本発明に係るシールドコネクタによれば、シールド装着部をシールド外筒部に装着することでコネクタハウジングをシールド部材に装着してコネクタ嵌合部が形成してあり、しかも、コネクタハウジングにロック手段に設けたことで、従来のようにコネクタハウジング内に、シールドで覆われた端子ユニットを挿入して相手コネクタ嵌合部を構成したものに比べて、部品点数が少なく、コネクタハウジングをより小さくできて、シールドコネクタ全体を小型化することが可能になるという効果を有しており、自動車等に搭載される電子機器同士のシールドケーブル接続に用いられるシールドコネクタ等に有用である。
【図面の簡単な説明】
【００６０】
【図１】本発明に係るシールドコネクタにおいてケーブル側コネクタ（レセプタクルコネクタ）と基板側コネクタ（プラグコネクタ）との結合前の状態の斜視図である。
【図２】同ケーブル側コネクタの分解状態の斜視図である。
【図３】同ケーブル側コネクタにおけるコネクタハウジングの平面図である。
【図４】図３のＣ−Ｃ線に沿う断面図である。
【図５】シールド部材の展開状態の側面図である。
【図６】図５のＤ方向からの矢視図である。
【図７】図６のＥ方向からの矢視図である。
【図８】ケーブル側コネクタにおけるケースの縦断面図である。
【図９】図８のＧ方向からの矢視図である。
【図１０】ケーブル側コネクタにおけるリテーナの平面図である。
【図１１】図１０のＪ方向からの矢視図である。
【図１２】図１０のＫ方向からの矢視図である。
【図１３】基板側コネクタにおける絶縁ハウジングの正面図である。
【図１４】図１０のＬ方向からの矢視図である。
【図１５】図１０のＭ方向からの矢視図である。
【図１６】図１３のＮ−Ｎ線に沿う断面図である。
【図１７】基板側コネクタにおけるシールドケースの正面図である。
【図１８】図１７のＯ−Ｏ線に沿う断面図である。
【図１９】基板側コネクタのプリント基板への実装の説明図である。
【図２０】ケーブル側コネクタのこじり動作の説明図である。
【図２１−１】ケーブル側コネクタと基板側コネクタとを結合する寸前の状態の説明図である。
【図２１−２】ケーブル側コネクタと基板側コネクタとが結合された最終状態の説明図である。
【図２２】従来のシールドコネクタにおけるケーブル側コネクタの分解状態の斜視図である。
【符号の説明】
【００６１】
Ａ        ケーブル側コネクタ（レセプタクルコネクタ）
Ａ−１    コネクタ嵌合部
Ｂ        基板側コネクタ（プラグコネクタ）
Ｓ        シールドケーブル
１        コネクタハウジング
１Ａ      シールド外筒挿着部
１Ｂ      表出部
２        シールド部材
３        ケース
４        リテーナ
５        端子装着部
６        ケーブル挿入部
７        ロック部（ロック手段）
７Ａ      ロックレバー
７Ｂ      押し部
９        係合部
２１      シールド外筒部
２１−１  ケーブル側シールド部
２２      カバー部
２３      折曲部
２４      圧着部
３１      ケース側シールド嵌合凹部
３０      ケース側シールド嵌合凹部
３２      ロックレバー挿入用開口部
３３      突起部
３４      リテーナ嵌合部
４０      リテーナ側シールド嵌合凹部
４１      接触端子
５０      絶縁ハウジング（プラグハウジング）
５２      相手コネクタ側嵌合部
５３      ロック係合部
５５      シールド片挿入用開口部
５６      シールド片挿入用開口部
５８      相手側端子
６０      シールドケース
６１      シールド端子
６２      シールド接触部
６３      シールド接触部
【図１】
2006054057.tif 000003
【図２】
2006054057.tif 000004
【図３】
2006054057.tif 000005
【図４】
2006054057.tif 000006
【図５】
2006054057.tif 000007
【図６】
2006054057.tif 000008
【図７】
2006054057.tif 000009
【図８】
2006054057.tif 000010
【図９】
2006054057.tif 000011
【図１０】
2006054057.tif 000012
【図１１】
2006054057.tif 000013
【図１２】
2006054057.tif 000014
【図１３】
2006054057.tif 000015
【図１４】
2006054057.tif 000016
【図１５】
2006054057.tif 000017
【図１６】
2006054057.tif 000018
【図１７】
2006054057.tif 000019
【図１８】
2006054057.tif 000020
【図１９】
2006054057.tif 000021
【図２０】
2006054057.tif 000022
【図２１−１】
2006054057.tif 000023
【図２１−２】
2006054057.tif 000024
【図２２】
2006054057.tif 000025